(57)【要約】  【課題】多地点会議システムにおいて、任意の地点に設置された個々のマイクの感度を、より多くの地点で適切となるように、他の地点から調整できる技術を提供する。  【解決手段】会議サーバ１は、各会議端末２に接続されているマイク６の情報を管理しており、制御端末２である会議端末２から、被制御端末２である会議端末２のマイク感度調整指示を受け付けたならば、被制御端末２に接続されているマイク６の情報を制御端末２に表示して、被制御端末２に接続されている個々のマイク６の感度調整操作を受け付ける。そして、被制御端末２に接続されている個々のマイク６の感度を調整する。また、会議サーバ１は、監視端末２である各会議端末２に、被制御端末２のマイクの感度調整操作の操作内容を表示する。そして、所定数以上の監視端末２から調整受入れ拒否を受け付けたならば、被制御端末２に接続されている個々のマイク６の感度を調整前の感度に戻す。【選択図】図１
2010273244.tif 000002
【特許請求の範囲】
【請求項１】
モニタ、スピーカ、および少なくとも一つのマイクが接続された複数の会議端末と、前記複数の会議端末間の会議を管理する会議サーバと、を有する会議システムであって、
前記会議サーバは、
前記複数の会議端末から音声データを受信して、前記会議端末毎に、当該会議端末以外の前記会議端末から受信した音声データを当該会議端末に送信する音声中継手段と、
前記会議端末毎に、当該会議端末に接続されている各マイクの情報を記憶するマイク情報記憶手段と、
いずれかの前記会議端末である制御端末より、当該制御端末以外のいずれかの前記会議端末である被制御端末の指定を伴うマイク感度調整指示を受け付けた場合に、前記被制御端末に接続されている各マイクの情報を、前記マイク情報記憶手段から読み出して前記制御端末に送信し、前記制御端末から、前記被制御端末に接続されている個々のマイクの感度調整操作を受け付けるマイク感度調整操作受付手段と、
前記マイク感度調整操作受付手段により受け付けた、前記被制御端末に接続されている個々のマイクの感度調整操作の操作内容を示す情報を、前記制御端末および前記被制御端末以外の前記会議端末である監視端末各々に送信し、前記監視端末各々から当該操作内容の調整受入れ可否を受け付ける調整受入れ可否受付手段と、
前記マイク感度調整操作受付手段により受け付けた感度調整操作の操作内容に従い、前記被制御端末に接続されている個々のマイクの感度を遠隔操作するための制御命令を前記被制御端末に送信するとともに、前記調整受入れ可否受付手段により所定数の前記監視端末から調整受入れ拒否を受け付けた場合に、前記被制御端末に接続されている個々のマイクの感度を当該遠隔操作前の状態に戻すための制御命令を前記被制御端末に送信する制御命令送信手段と、を有し、
前記会議端末は、
自会議端末に接続されている各マイクにより集音された音声データを前記会議サーバに送信するとともに、前記会議サーバから受信した音声データを自会議端末に接続されているスピーカから出力する音声処理手段と、
ユーザの指示に従い、前記制御端末として、前記会議サーバに、前記被制御端末の指定を伴うマイク感度調整指示を送信して、前記会議サーバから、前記被制御端末に接続されている各マイクの情報を受信し、前記被制御端末に接続されている各マイクの情報を、自会議端末に接続されている前記モニタに表示して、ユーザから、前記被制御端末に接続されている個々のマイクの感度調整操作を受け付け、当該感度調整操作の操作内容を前記会議サーバに送信するマイク感度調整操作手段と、
前記会議サーバから前記制御命令を受信した場合に、当該制御命令に従い、自会議端末に接続されている個々のマイクの感度を調整するマイク調整手段と、
前記会議サーバから、前記被制御端末に接続されている個々のマイクの感度調整操作の操作内容を示す情報を受信した場合に、当該情報が示す操作内容を、自会議端末に接続されている前記モニタに表示して、ユーザから、前記制御端末による当該操作内容の調整受入れ可否を受け付け、前記会議サーバに送信する調整受入れ可否手段と、を有する
ことを特徴とする会議システム。
【請求項２】
請求項１に記載の会議システムであって、
前記会議端末には、カメラがさらに接続されており、
前記会議端末に接続されている各マイクの情報は、当該会議端末に接続されている各マイクの、所定の基準位置に対する位置情報を含んでおり、
前記会議サーバは、
前記複数の会議端末から映像データを受信して、前記会議端末毎に、当該会議端末以外の前記会議端末から受信した映像データを当該会議端末に送信する映像中継手段をさらに有し、
前記会議端末は、
自会議端末に接続されているカメラにより撮像された、自会議端末に接続されている各マイクおよび前記所定の基準位置を含む映像データを前記会議サーバに送信するとともに、前記会議サーバから受信した映像データを、自会議端末に接続されている前記モニタに表示する映像処理手段をさらに有し、
前記マイク感度調整操作手段は、
前記会議サーバから受信した、前記被制御端末に接続されている各マイクの前記位置情報に従い、前記被制御端末に接続されている各マイクを示すマークを、前記カメラで会議中に撮影された映像に重ねて前記モニタに表示して、ユーザから、前記被制御端末に接続されている個々のマイクの感度調整操作を受け付ける
ことを特徴とする会議システム。
【請求項３】
請求項２に記載の会議システムであって、
前記マイク感度調整操作手段は、
ユーザから、前記会議中の映像に重ねて前記モニタに表示されている各マークをつなぐ閉曲線の変形を伴うドラッグ操作を受け付け、当該閉曲線の変形による前記マーク各々の位置情報の変化を、前記被制御端末に接続されている個々のマイクの感度調整操作の操作内容として、前記会議サーバに送信する
ことを特徴とする会議システム。
【請求項４】
請求項３に記載の会議システムであって、
前記調整受入れ可否手段は、
前記被制御端末に接続されている個々のマイクの感度調整操作の操作内容として前記会議サーバから受信した、前記被制御端末に接続されている各マイクの前記位置情報に従い、前記被制御端末に接続されている各マイクを示すマークを、前記会議中の映像に重ねて前記モニタに表示して、ユーザから、前記制御端末による当該操作内容の調整受入れ可否を受け付ける
ことを特徴とする会議システム。
【請求項５】
請求項１ないし４のいずれか一項に記載の会議サーバ。
【請求項６】
請求項１ないし４のいずれか一項に記載の会議端末。
【請求項７】
少なくとも一つのマイクが接続された複数の会議端末と、前記複数の会議端末間の会議を管理する会議サーバと、を有する会議システムのマイク感度調整方法であって、
前記会議サーバは、
いずれかの前記会議端末である制御端末から、他の前記会議端末である被制御端末のマイク感度調整指示を受け付けた場合に、前記被制御端末に接続されている各マイクの情報を前記制御端末に表示して、前記被制御端末に接続されている個々のマイクの感度調整操作を受け付け、受け付けた操作内容に従い、前記被制御端末に接続されている個々のマイクの感度を調整するとともに、前記制御端末および被制御端末以外の前記会議端末である監視端末各々に、前記制御端末から受け付けた前記感度調整操作の操作内容を表示し、
所定数以上の前記監視端末から調整受入れ拒否を受け付けた場合に、前記被制御端末に接続されている個々のマイクの感度を調整前の感度に戻す
ことを特徴とする会議システムのマイク感度調整方法。
【発明の詳細な説明】
【技術分野】
【０００１】
本発明は、会議システムに関し、特に、多地点会議システムを構成する各会議端末に接続された個々のマイクの感度を他の会議端末から調整する技術に関する。
【背景技術】
【０００２】
特許文献１には、聞き手側において、通信を行いながら相手端末のマイク感度を遠隔制御することが可能な通信端末が開示されている。この通信端末は、相手端末のマイク感度を遠隔制御する機能と、相手端末から自端末のマイク感度の遠隔制御を受け付ける機能と、を有している。
【０００３】
一方、通信インフラの大容量化、通信コストの低廉化に加え、出張等による人の移動に伴い発生するＣＯ２の削減といった環境問題の観点から、複数の会議室（地点）を結ぶ多地点会議システムが注目されている。この種の多地点会議システムには、通常、各地点に、スピーカおよび複数のマイクが接続された会議端末が設置される。そして、会議端末は、複数のマイクで集音された各参加者の音声を合成して、その合成音声信号を、会議サーバ経由で他の地点の会議端末に送信する。また、会議端末は、会議サーバ経由で他の地点の会議端末から受信した合成音声信号をスピーカから出力する。
【先行技術文献】
【特許文献】
【０００４】
【特許文献１】特開２００４−２０７８９２号公報
【発明の概要】
【発明が解決しようとする課題】
【０００５】
上述の多地点会議システムにおいて、必要以上に声の大きい参加者が、ある地点（送信側地点と呼ぶ）から会議に参加している場合を考える。他の地点（受信側地点と呼ぶ）において、送信側地点から受信した合成音声信号をスピーカから出力する場合に、声の大きい参加者の音声に合わせてスピーカのボリュームを調整すると、他の参加者の音声が小さくなって聞き取り難くなってしまう。
【０００６】
特許文献１に記載の技術を利用して、送信側地点のマイク感度を受信側地点から遠隔制御しようとすると、つぎのような問題が発生する。
【０００７】
特許文献１に記載の技術は、各地点に設置されるマイクが一つの場合を想定しており、各地点にマイクが複数設置されるような場合を考慮していない。このため、送信側地点から会議に参加している各参加者の音量レベルを受信側地点で個別に遠隔調整することができない。また、特許文献１に記載の技術は、一対一の通信を想定しており、多地点間の通信を考慮していない。多地点会議システムの場合、送信側地点の各マイクの感度設定が、ある受信側地点で適切であっても、他の受信側地点で適切であるとは限らない。
【０００８】
本発明は上記事情に鑑みてなされたものであり、本発明の目的は、多地点会議システムにおいて、任意の地点に設置された個々のマイクの感度を、より多くの地点で適切となるように他の地点から調整できる技術を提供することにある。
【課題を解決するための手段】
【０００９】
上記課題を解決するために、本発明の会議システムは、少なくとも一つのマイクが接続された複数の会議端末と、会議サーバと、を有する。会議サーバは、各会議端末に接続されているマイクの情報を管理しており、ある会議端末（制御端末と呼ぶ）から他の会議端末（被制御端末と呼ぶ）のマイク感度調整指示を受け付けたならば、被制御端末に接続されているマイクの情報を制御端末に表示して、個々のマイクの感度調整操作を制御端末から受け付ける。そして、受け付けた、感度調整操作の操作内容に従い、被制御端末に接続されている個々のマイク感度を調整する。また、会議サーバは、制御端末および被制御端末以外の各会議端末（監視端末と呼ぶ）に、制御端末から受け付けた、被制御端末のマイク感度調整操作の操作内容を表示する。そして、所定数以上の監視端末から調整受入れ拒否を受け付けたならば、被制御端末に接続されている個々のマイクの感度を調整前の感度に戻す。
【００１０】
例えば、本発明は、モニタ、スピーカ、および少なくとも一つのマイクが接続された複数の会議端末と、前記複数の会議端末間の会議を管理する会議サーバと、を有する会議システムであって、
前記会議サーバは、
前記複数の会議端末から音声データを受信して、前記会議端末毎に、当該会議端末以外の前記会議端末から受信した音声データを当該会議端末に送信する音声中継手段と、
前記会議端末毎に、当該会議端末に接続されている各マイクの情報を記憶するマイク情報記憶手段と、
いずれかの前記会議端末である制御端末より、当該制御端末以外のいずれかの前記会議端末である被制御端末の指定を伴うマイク感度調整指示を受け付けた場合に、前記被制御端末に接続されている各マイクの情報を、前記マイク情報記憶手段から読み出して前記制御端末に送信し、前記制御端末から、前記被制御端末に接続されている個々のマイクの感度調整操作の操作内容を受け付けるマイク感度調整操作受付手段と、
前記マイク感度調整操作受付手段により受け付けた、前記被制御端末に接続されている個々のマイクの感度調整操作の操作内容を示す情報を、前記制御端末および前記被制御端末以外の前記会議端末である監視端末各々に送信し、前記監視端末各々から当該操作内容の調整受入れ可否を受け付ける調整受入れ可否受付手段と、
前記マイク感度調整操作受付手段により受け付けた感度調整操作の操作内容に従い、前記被制御端末に接続されている個々のマイクのマイク感度を遠隔操作するための制御命令を前記被制御端末に送信するとともに、前記調整受入れ可否受付手段により所定数の前記監視端末から調整受入れ拒否を受け付けた場合に、前記被制御端末に接続されている個々のマイクの感度を当該遠隔操作前の状態に戻すための制御命令を前記被制御端末に送信する制御命令送信手段と、を有し、
前記会議端末は、
自会議端末に接続されている各マイクにより集音された音声データを前記会議サーバに送信するとともに、前記会議サーバから受信した音声データをスピーカから出力する音声処理手段と、
ユーザの指示に従い、前記制御端末として、前記会議サーバに、前記被制御端末の指定を伴うマイク感度調整指示を送信して、前記会議サーバから、前記被制御端末に接続されている各マイクの情報を受信し、前記被制御端末に接続されている各マイクの情報を、自会議端末に接続されている前記モニタに表示して、ユーザから、前記被制御端末に接続されている個々のマイクの感度調整操作を受け付け、当該感度調整操作の操作内容を前記会議サーバに送信するマイク感度調整操作手段と、
前記会議サーバから前記制御命令を受信した場合に、当該制御命令に従い、自会議端末に接続されている個々のマイクの感度を調整するマイク調整手段と、
前記会議サーバから、前記被制御端末に接続されている個々のマイクの感度調整操作の操作内容を示す情報を受信した場合に、当該情報が示す操作内容を、自会議端末に接続されている前記モニタに表示して、ユーザから、前記制御端末による当該操作内容の調整受入れ可否を受け付け、前記会議サーバに送信する調整受入れ可否手段と、を有する。
【発明の効果】
【００１１】
本発明によれば、多地点会議システムにおいて、任意の地点に設置された個々のマイクの感度を、より多くの地点で適切となるように他の地点から調整できる。
【図面の簡単な説明】
【００１２】
【図１】図１は、本発明の一実施の形態が適用された多地点会議システムの概略図である。
【図２】図２は、会議サーバ１の概略構成図である。
【図３】図３（Ａ）は、アドレス情報記憶部１６１の登録内容例を模式的に表した図であり、図３（Ｂ）は、マイク情報記憶部１６２の登録内容例を模式的に表した図である。
【図４】図４は、図２に示す会議サーバ１のマイク感度遠隔制御を説明するためのフロー図である。
【図５】図５は、会議端末２の概略構成図である。
【図６】図６（Ａ）は、会議画面２７１の一例を示す図であり、図６（Ｂ）は、設置ガイド画面２９１の一例を示す図である。
【図７】図７（Ａ）および図７（Ｂ）は、操作用インターフェース２７４が重ねて表示された、被制御端末２の表示枠２７２の一例を示す図である。
【図８】図８（Ａ）は、マイク感度インジケータ２７５が重ねて表示された、被制御端末２の表示枠２７２の一例を示す図であり、図８（Ｂ）は、マイク感度インジケータ２７５が省略された、被制御端末２の表示枠２７２の一例を示す図である。
【図９】図９は、図５に示す会議端末２のマイク感度調整処理を説明するためのフロー図である。
【図１０】図１０は、図１に示す多地点会議システムにおけるマイク感度遠隔制御の第一の動作例を説明するためのシーケンス図である。
【図１１】図１１は、図１に示す多地点会議システムにおけるマイク感度遠隔制御の第二の動作例を説明するためのシーケンス図である。
【発明を実施するための形態】
【００１３】
以下、本発明の実施の形態について説明する。
【００１４】
図１は、本発明の一実施の形態が適用された多地点会議システムの概略図である。
【００１５】
図示するように、本実施の形態に係る多地点会議システムは、会議サーバ１と、モニタ３、カメラ４、スピーカ５および少なくとも一台のマイク６が接続された複数の会議端末２とが、ＩＰ網７を介して相互接続されて構成されている。
【００１６】
会議サーバ１は、会議端末２から音声および映像データを収集する。そして、収集した音声および映像データを各会議端末２に配信する。
【００１７】
また、会議サーバ１は、各会議端末２に接続されているマイク６の情報を管理しており、ある会議端末２（制御端末２と呼ぶ）から他の会議端末２（被制御端末２と呼ぶ）のマイク感度調整指示を受け付けたならば、被制御端末２に接続されているマイク６の情報を制御端末２に表示して、個々のマイク６の感度調整操作を受け付ける。そして、受け付けた操作内容に従い、被制御端末２に接続されている個々のマイク６の感度を調整する。また、会議サーバ１は、制御端末２および被制御端末２以外の各会議端末２（監視端末２と呼ぶ）に、制御端末２から受け付けた、被制御端末２の感度調整操作の操作内容を表示する。そして、所定数以上の監視端末２から調整受入れ拒否を受け付けたならば、被制御端末２に接続されている個々のマイク６の感度を調整前の状態に戻す。
【００１８】
一方、会議端末２は、自会議端末２に接続されている各マイク６で集音された音声データおよび自会議端末２に接続されているモニタ３で撮像された映像データを会議サーバ１に送信するとともに、会議サーバ１から、会議端末２毎に音声および映像データを受信し、それぞれ合成して出力する。
【００１９】
また、会議端末２は、ユーザの指示に従い、被制御端末２の指定を伴うマイク感度調整指示を会議サーバ１に送信して、被制御端末２に接続されている各マイク６の情報を会議サーバ１から受信する。そして、被制御端末２に接続されている各マイク６の情報を、自会議端末２に接続されているモニタ３に表示して、ユーザから、被制御端末２に接続されている個々のマイク６の感度調整操作を受け付け、その操作内容を会議サーバ１に送信する。
【００２０】
また、会議端末２は、被制御端末２に接続されている個々のマイク６の感度調整操作の操作内容を会議サーバ１から受信した場合に、この操作内容を、自会議端末２に接続されているモニタ３に表示して、ユーザから、この操作内容による調整受入れ可否を受け付け、会議サーバ１に送信する。
【００２１】
また、会議端末２は、会議サーバ１の指示に従い、自会議端末２に接続されている個々のマイク６の感度を調整する。
【００２２】
まず、会議サーバ１の詳細を説明する。
【００２３】
図２は、会議サーバ１の概略構成図である。
【００２４】
図示するように、会議サーバ１は、ＩＰ網インターフェース部１１と、音声バッファ部１２と、映像バッファ部１３と、音声中継部１４と、映像中継部１５と、端末情報記憶部１６と、遠隔制御部１７と、を有する。
【００２５】
ＩＰ網インターフェース部１１は、ＩＰ網７に接続するためのインターフェースである。
【００２６】
音声バッファ部１２には、会議端末２毎に、会議端末２から受信した音声データがバッファリングされる。
【００２７】
映像バッファ部１３は、会議端末２毎に、会議端末２から受信した映像データがバッファリングされる。
【００２８】
音声中継部１４は、会議端末２間でやり取りされる音声データを中継する。図示するように、音声中継部１４は、音声収集部１４１と、音声配信部１４２と、を有する。
【００２９】
音声収集部１４１は、ＩＰ網インターフェース部１１を介して各会議端末２から受信した音声データを、音声バッファ部１２に会議端末２毎にバッファリングする。
【００３０】
音声配信部１４２は、後述する端末情報記憶部１６のアドレス情報記憶部１６１を参照して、会議端末２毎に、その会議端末２以外の会議端末２各々の音声データを音声バッファ部１２から読み出し、これらの音声データを、ＩＰ網インターフェース部１１を介して、その会議端末２に配信する。
【００３１】
映像中継部１５は、会議端末２間でやり取りされる映像データを中継する。図示するように、映像中継部１５は、映像収集部１５１と、映像配信部１５２と、を有する。
【００３２】
映像収集部１５１は、ＩＰ網インターフェース部１１を介して各会議端末２から受信した映像データを、映像バッファ部１３に会議端末２毎にバッファリングする。
【００３３】
映像配信部１５２は、後述する端末情報記憶部１６のアドレス情報記憶部１６１を参照して、会議端末２毎に、その会議端末２以外の会議端末２各々の映像データを映像バッファ部１３から読み出し、これらの映像データを、ＩＰ網インターフェース部１１を介して、その会議端末２に配信する。
【００３４】
端末情報記憶部１６には、各会議端末２の諸情報が記憶されている。図示するように、端末情報記憶部１６は、アドレス情報記憶部１６１と、マイク情報記憶部１６２と、を有する。
【００３５】
アドレス情報記憶部１６１には、各会議端末２のアドレス情報が記憶されている。図３（Ａ）は、アドレス情報記憶部１６１の登録内容例を模式的に表した図である。図示するように、アドレス情報記憶部１６１には、会議端末２毎にレコード１６１０が登録されている。レコード１６１０は、会議端末２の識別情報である端末ＩＤが登録されたフィールド１６１１と、この会議端末２のアドレス情報が登録されたフィールド１６１２と、この会議端末２のアカウント名が登録されたフィールド１６１３と、を有する。
【００３６】
マイク情報記憶部１６２は、各会議端末２に接続されているマイク６の情報が記憶されている。図３（Ｂ）は、マイク情報記憶部１６２の登録内容例を模式的に表した図である。図示するように、マイク情報記憶部１６２には、会議端末２毎にテーブル１６２０が登録されている。テーブル１６２０には、会議端末２の端末ＩＤが登録されている。また、テーブル１６２０には、この会議端末２に接続されているマイク６毎にレコード１６２１が登録されている。レコード１６２１は、マイク６の識別情報であるマイクＩＤが登録されたフィールド１６２２と、このマイク６の位置情報が登録されたフィールド１６２３と、このマイク６の現在の感度設定値を登録するフィールド１６２４と、このマイク６の前回の感度設定値を登録するフィールド１６２５と、を有する。
【００３７】
ここで、フィールド１６２４、１６２５の登録内容は、例えば後述の遠隔制御部１７により、本会議サーバ１の起動時あるいはテレビ会議の開始時（音声中継部１４および映像中継部１５による音声および映像データ中継開始時）に、それぞれデフォルト値、ヌル値（空欄）にリセットされる。
【００３８】
また、マイク６の位置情報とは、例えば所定の基準位置に対して所定の位置関係に設置されたマイク６を所定の位置からカメラ４で撮像することにより得られた映像上におけるマイク６の座標情報である。マイク６の位置情報の詳細は後述する。
【００３９】
遠隔制御部１７は、各会議端末２に接続されている個々のマイク６の感度を遠隔制御する。図示するように、遠隔制御部１７は、感度調整操作受付部１７１と、調整受入れ可否受付部１７２と、命令送信部１７３と、を有する。
【００４０】
感度調整操作受付部１７１は、ＩＰ網インターフェース部１１を介して制御端末２より、被制御端末２の指定を伴うマイク感度調整指示を受け付けた場合に、被制御端末２に接続されている各マイク６の情報を端末情報記憶部１６のマイク情報記憶部１６２から読み出して制御端末２に送信する。そして、制御端末２から、被制御端末２に接続されている個々のマイクの感度調整操作を受け付ける。
【００４１】
また、感度調整操作受付部１７１は、ＩＰ網インターフェース部１１を介して会議端末２よりマイク位置情報更新指示を受け付けた場合、このマイク位置情報更新指示にマイクＩＤごとに含まれる座標情報により、マイク位置情報更新指示の送信元の会議端末２に対応するテーブル１６２０の対応レコード１６２１のフィールド１６２３に格納された位置情報を更新する。
【００４２】
調整受入れ可否受付部１７２は、感度調整操作受付部１７１により制御端末２から受け付けた、被制御端末２に接続されている個々のマイク６の感度調整操作の操作内容を示す情報を、個々のマイク６の位置情報とともに、ＩＰ網インターフェース部１１を介して各監視端末２に送信する。そして、所定時間の間、監視端末２から、この操作内容の調整受入れ可否を受け付ける。
【００４３】
命令送信部１７３は、感度調整操作受付部１７１により制御端末２から受け付けた、被制御端末２に接続されている個々のマイク６の感度調整操作の操作内容に従い、被制御端末２に接続されている個々のマイク６の感度を遠隔制御するための制御命令を生成する。そして、ＩＰ網インターフェース部１１を介して、この制御命令を被制御端末２に送信する。
【００４４】
また、命令送信部１７３は、感度調整操作受付部１７１により制御端末２から受け付けた、被制御端末２に接続されている個々のマイク６の感度調整操作の操作内容について、調整受入れ可否受付部１７２が所定数以上の監視端末２から調整受入れ拒否を受け付けた場合に、被制御端末２に接続されている個々のマイク６の感度を調整前の状態に戻すための制御命令を生成する。そして、ＩＰ網インターフェース部１１を介して、この制御命令を被制御端末２に送信する。
【００４５】
図４は、図２に示す会議サーバ１のマイク感度遠隔制御を説明するためのフロー図である。
【００４６】
このフローは、会議端末２間でやり取りされる音声データおよび映像データを音声中継部１４および映像中継部１５が中継することにより、会議端末２間でテレビ会議が行われている状態において、感度調整操作受付部１７１が、ＩＰ網インターフェース部１１を介して、被制御端末２の指定を伴うマイク感度調整指示を制御端末２から受け付けることにより開始される。
【００４７】
まず、感度調整操作受付部１７１は、被制御端末２の端末ＩＤをキーにしてマイク情報記憶部１６２からテーブル１６２０を検索する。そして、このテーブル１６２０の各レコード１６２１について、フィールド１６２４に登録されている感度設定値（現在）を、フィールド１６２５に登録されている感度設定値（前回）にコピーして、フィールド１６２５の登録内容を更新する（Ｓ１０１）。
【００４８】
また、感度調整操作受付部１７１は、このテーブル１６２０の各レコード１６２１のフィールド１６２２、１６２３に登録されているマイクＩＤおよび位置情報（被制御端末２に接続されている各マイク６のマイクＩＤおよび位置情報）を、ＩＰ網インターフェース部１１を介して制御端末２に送信する（Ｓ１０２）。
【００４９】
それから、感度調整操作受付部１７１は、ＩＰ網インターフェース部１１を介して制御端末２から感度調整操作を受け付けたならば（Ｓ１０３でＹＥＳ）、その操作内容に従って、被制御端末２に対応するテーブル１６２０のレコード１６２１のフィールド１６２４に登録されている感度設定値（現在）を更新する（Ｓ１０４）。
【００５０】
具体的には、感度調整操作受付部１７１は、感度調整操作として制御端末２からマイクＩＤおよび係数（調整倍率）を受け取ると、このマイクＩＤをキーにして、被制御端末２に対応するテーブル１６２０からレコード１６２１を検索する。そして、このレコード１６２１のフィールド１６２４に登録されている感度設定値（現在）にこの係数を乗算して新たな感度設定値（現在）を算出し、この新たな感度設定値（現在）でフィールド１６２４の登録内容を更新する。
【００５１】
つぎに、命令送信部１７３は、被制御端末２の端末ＩＤをキーにしてアドレス情報記憶部１６１から被制御端末２のアドレス情報を検索する。また、被制御端末２のアドレス情報と、Ｓ１０４においてフィールド１６２４が更新されたレコード１６２１のフィールド１６２２、１６２４に登録されているマイクＩＤおよび感度設定値（現在）を含む制御命令を生成する。そして、ＩＰ網インターフェース部１１を介して、この制御命令を被制御端末２に送信する（Ｓ１０５）。
【００５２】
つぎに、感度調整操作受付部１７１は、アドレス情報記憶部１６１から監視端末２各々のアドレス情報を取得する。そして、被制御端末２に接続されている各マイク６のマイクＩＤおよび位置情報と、制御端末２から受け取った感度調整操作の操作内容（マイクＩＤ、係数）とを、ＩＰ網インターフェース部１１を介して各監視端末２に送信する（Ｓ１０６）。ここで、これらの情報を各監視端末２に送信する代わりにマルチキャスト送信してもよい。
【００５３】
また、調整受入れ可否受付部１７２は、ＩＰ網インターフェース部１１を介していずれかの監視端末２から感度調整操作の調整受入れ拒否を受け付けたならば（Ｓ１０７でＹＥＳ）、これまでに受け付けた調整受入れ拒否の数が所定数に達したか否かを判断する（Ｓ１０８）。ここで、例えば、少なくとも一台の監視端末２の調整受入れ拒否によりマイク感度の調整をキャンセルする場合には、所定数を「１」に設定する。また、過半数の監視端末２の調整受入れ拒否によりマイク感度の調整をキャンセルする場合には、所定数を監視端末２の過半数の値に設定する。
【００５４】
そして、調整受入れ可否受付部１７２は、調整受入れ拒否の受付数が所定数に達したならば（Ｓ１０８でＹＥＳ）、被制御端末２に対応するテーブル１６２０から、フィールド１６２４に登録されている感度設定値（現在）とフィールド１６２５に登録されている感度設定値（前回）とが一致しないレコード１６２１を検索する。そして、このレコード１６２１のフィールド１６２５に登録されている感度設定値（前回）を、フィールド１６２４に登録されている感度設定値（現在）にコピーして、フィールド１６２４の登録内容を元の値（Ｓ１０１以前にフィールド１６２４に登録されていた値）に戻す（Ｓ１０９）。
【００５５】
つぎに、命令送信部１７３は、被制御端末２の端末ＩＤをキーにしてアドレス情報記憶部１６１から被制御端末２のアドレス情報を検索する。また、Ｓ１０９においてフィールド１６２４が更新されたレコード１６２１のフィールド１６２２、１６２４に登録されているマイクＩＤおよび感度設定値（現在）を含む制御命令を生成する。そして、ＩＰ網インターフェース部１１を介して、この制御命令を被制御端末２に送信する（Ｓ１１０）。
【００５６】
なお、Ｓ１０２において被制御端末２の各マイク６のマイクＩＤおよび位置情報を制御端末２に送信してから、制御端末２から感度調整操作を受け付けることなく、かつ監視端末２から調整受入れ拒否を受け付けることなく所定時間が経過すると（Ｓ１１２でＹＥＳ）、感度調整操作受付部１７１および調整受入れ可否受付部１７２が感度調整操作および調整受入れ可否の受付を停止する。これによりフローが終了する。
【００５７】
つぎに、会議端末２の詳細を説明する。
【００５８】
図５は、会議端末２の概略構成図である。
【００５９】
図示するように、会議端末２は、ＩＰ網インターフェース部２１と、映像入出力部２２と、音声入出力部２３と、操作受付部２４と、映像処理部２５と、音声処理部２６と、映像合成部２７と、音声合成部２８と、設置支援部２９と、主制御部２０と、を有する。
【００６０】
ＩＰ網インターフェース部２１は、ＩＰ網７に接続するためのインターフェースである。
【００６１】
映像入出力部２２は、映像を入出力するためのものであり、モニタ３およびカメラ４が接続される。
【００６２】
音声入出力部２３は、音声を入出力するためのものであり、スピーカ５および少なくとも一台のマイク６が接続される。
【００６３】
操作受付部２４は、ユーザから各種操作を受け付けるためのものであり、マウス２４１、キーボード２４２などを備える。
【００６４】
映像処理部２５は、映像の符号化および復号を行うコーデックである。映像処理部２５は、映像入出力部２２に接続されているカメラ４で撮像された映像信号を映像データに符号化して、この映像データを主制御部２０に送る。また、映像処理部２５は、主制御部２０から受け取った映像データを映像信号に復号して、この映像信号を、映像入出力部２２に接続されているモニタ３に表示する。
【００６５】
音声処理部２６は、音声の符号化および復号を行うコーデックである。音声処理部２６は、音声入出力部２３に接続されている各マイク６で集音された音声信号を合成して音声データに符号化し、この音声データを主制御部２０に送る。また、音声処理部２６は、主制御部２０から受け取った音声データを音声信号に復号して、この音声信号を、音声入出力部２３に接続されているスピーカ５から出力する。
【００６６】
映像合成部２７は、主制御部２０から受け取った複数の会議端末２の映像データを合成して、会議画面用の映像データを生成する。
【００６７】
図６（Ａ）は、会議画面２７１の一例を示す図である。図示するように、会議画面２７１は、会議サーバ１から送られてきた各会議端末２の映像データが、その映像データに付加されているアカウント名２７３とともに表示されて構成されている。ユーザは、操作受付部２４を用いて任意の映像データの表示枠２７２を選択することが可能である。
【００６８】
音声合成部２８は、主制御部２０から受け取った複数の会議端末２の音声データを合成して、会議音声用の音声データを生成する。
【００６９】
設置支援部２９は、自会議端末２に接続されているカメラ４で撮像した映像上に、自会議端末２に接続されている各マイク６の設置箇所を示すマイク設置箇所マークを重畳することで設置ガイド画面を生成し、自会議端末２に接続されているモニタ３にこの設置ガイド画面を表示して、カメラ４および各マイク６のセッテイングを支援する。
【００７０】
図６（Ｂ）は、設置ガイド画面２９１の一例を示す図である。図示するように、設置ガイド画面２９１は、自会議端末２に接続されているカメラ４で撮像中の映像４１上に、設置ガイド画面２９１内の所定位置（例えば下端の中央）に配置された基準マーク８０および１以上のマイク設置箇所マーク８１が重畳されて構成されている。各マイク設置箇所マーク８１には、自会議端末２に接続されているマイク６のマイクＩＤが付加されている。各会議室のユーザは、会議開催前に、この設置ガイド画面２９１を利用して以下の初期セッティングを行う。
【００７１】
ユーザは、自会議端末２に接続されているカメラ４で会議室内を撮影しながら、設定ガイド画面２９１上の基準マーク４１が映像４１内の会議室の基準位置（例えば会議テーブルの端部位置）に重なり合うようにカメラ４の設置位置を調整する。
【００７２】
ここで、設置ガイド画面２９１上における基準マーク８０および各マイク設置箇所マーク８１の位置関係が固定されている場合には、ユーザは、さらに、設置ガイド画面２９１内の各マイク設置箇所マーク８１の位置に、対応するマイク６の映像が表示されるように、会議室内のカメラ４に対して所定の位置関係に各マイク６を設置することで、カメラ４および各マイク６のセッテイングが完了する。なお、この場合、基準マーク８０に対する各マイク設置箇所マーク８１の座標情報は、会議サーバ１のマイク情報記憶部１６２に記憶されている自会議端末２のテーブル１６２０において、対象のマイク設置箇所マーク８１に付加されたマイクＩＤに対応付けて登録されている位置情報と一致する。
【００７３】
一方、設置ガイド画面２９１上における基準マーク８０と各マイク設置箇所マーク８１との位置関係が固定されていない場合には、ユーザは、会議室内にマイク６を配置してから、操作受付部２４のマウス２４１等を用い、設置ガイド画面２９１上において、各マイク設置箇所マーク８１を映像４１内の対応マイク６の位置に移動させる。この場合、ユーザが各マイク設置箇所マーク８１の位置を確定させると、設置支援部２９が、基準マーク８０に対するマイク設置箇所マーク８１の座標情報をマイクＩＤに対応付けて含むマイク位置情報更新指示を会議サーバ１に送信する。これにより、会議サーバ１のマイク情報記憶部１６２に記憶された、この会議端末２のテーブル１６２０の各レコード１６２１の位置情報が、マイク位置情報更新指示に含まれる対応マイクＩＤのマイク設置箇所マーク８１の座標情報で更新される。
【００７４】
主制御部２０は、自会議端末２の各部２１〜２９を統括的に制御する。図示するように、主制御部２０は、会議処理部２０１と、感度調整操作部２０２と、調整受入れ可否部２０３と、感度調整部２０４と、を有する。
【００７５】
会議処理部２０１は、自会議端末２の各部２１〜２３、２５〜２８を制御して、会議サーバ１と音声および映像データを送受する。
【００７６】
具体的には、会議処理部２０１は、音声入出力部２３に接続されている各マイク６で集音され、音声処理部２６で合成後に音声信号から変換された音声データに、自会議端末２の端末ＩＤおよびアカウント名を付加し、この音声データを、ＩＰ網インターフェース部２１を介して会議サーバ１に送信する。同様に、映像入出力部２２に接続されているカメラ４で撮像され、映像処理部２５で映像信号から変換された映像データに、自会議端末２の端末ＩＤおよびアカウント名を付加し、この映像データを、ＩＰ網インターフェース部２１を介して会議サーバ１に送信する。
【００７７】
また、会議処理部２０１は、ＩＰ網インターフェース部２１を介して会議サーバ１から、他の各会議端末２の音声データを受信して、音声合成部２８によりこれらの音声データを合成して会議音声用の音声データを生成し、この会議音声用の音声データを、音声処理部２６で音声信号に変換して、音声入出力部２３に接続されているスピーカ５から出力する。同様に、ＩＰ網インターフェース部２１を介して会議サーバ１から、他の各会議端末２の映像データを受信して、映像合成部２７によりこれらの映像データを合成して会議画面用の映像データを生成し、この会議画面用の映像データを、映像処理部２５で映像信号に変換して、映像入出力部２２に接続されているモニタ３に表示する。
【００７８】
感度調整操作部２０２は、操作受付部２４を介してユーザから、モニタ３で表示中の会議画面２７１に含まれている表示枠２７２の選択を伴う感度調整開始指示を受け付けると、選択された表示枠２７２に対応する会議端末２を被制御端末２として、この被制御端末２の指定を伴うマイク感度調整指示を会議サーバ１に送信する。そして、被制御端末２に接続されている各マイク６の位置情報を会議サーバ１から受信すると、受信した各マイク６の位置情報に基づいて、被制御端末２に接続されている個々のマイク６の感度調整操作を受け付けるための操作用インターフェースを、会議画面２７１内の、被制御端末２に対応する表示枠２７２に重ねて表示する。そして、操作受付部２４を介してユーザから、被制御端末２に接続されている個々のマイク６の感度調整操作を受け付け、その操作内容を会議サーバ１に送信する。
【００７９】
図７は、操作用インターフェース２７４が重ねて表示された、被制御端末２の表示枠２７２の一例を示す図であり、図７（Ａ）は、ユーザによる感度調整操作の受付前の状態を、そして図７（Ｂ）は、ユーザによる感度調整操作の受付後の状態を示している。
【００８０】
図示するように、操作用インターフェース２７４は、表示枠２７２内の所定位置（例えば下端の中央）に配置された基準マーク８３と、個々のマイク６の感度を示すマーク８４と、これらのマーク８３、８４を繋ぐ閉曲線８５と、を有する。表示枠２７２内における基準マーク８３の表示位置は、表示枠２７２を設置ガイド画面２９１の画面サイズに合わせた場合における、設置ガイド画面２９１内における基準マーク８０の表示位置と一致する。
【００８１】
また、図７（Ａ）に示すように、感度調整操作の受付前の状態において、マイク６の感度を示すマーク８４は、会議サーバ１より受信したこのマイク６の位置情報により特定される、表示枠２７２内の位置に表示される。マイク６の感度を示すマーク８４の、表示枠２７２内における表示位置は、表示枠２７２を設置ガイド画面２９１の画面サイズに合わせた場合における、このマイク６に対応するマイク設置箇所マーク８１の、設置ガイド画面２９１内における表示位置と一致する。
【００８２】
ユーザは、操作受付部２４を用いて、閉曲線８５の任意のポイントを選択しドラッグすることで、閉曲線８５を任意に変形させることができ、これに伴い閉曲線８５上の任意のマーク８４の表示位置を移動させることができる。
【００８３】
図７（Ｂ）は、ユーザが、マイクＩＤ０４のマイク６の感度を示すマーク８４とマイクＩＤ０５のマイク６の感度を示すマーク８４との間において、マイクＩＤ０４のマイク６の感度を示すマーク８４寄りの、閉曲線８５上のポイントを選択しドラッグすることで、閉曲線８５を変形させた例を示している。この例において、マイクＩＤ０４のマイク６の感度を示すマーク８４は、元々の位置８４１から大きく移動し、一方、マイクＩＤ０５のマイク６の感度を示すマーク８４は、元々の位置８４２から若干移動している。
【００８４】
感度調整操作部２０２は、閉曲線８５の変形によって表示位置が変化したマーク８４毎に、現在の表示位置から基準マーク８３までの距離Ａと、元々（感度調整操作の受付前）の表示位置から基準マーク８３までの距離Ｂとの比率Ａ／Ｂを、このマーク８４に対応するマイク６のマイクＩＤとともに、このマイク６に対する感度調整操作の操作内容として会議サーバ１に送信する。
【００８５】
調整受入れ可否部２０３は、ＩＰ網インターフェース部１１を介して会議サーバ１から、被制御端末２に接続されているマイク６の感度調整操作の操作内容を示す情報を、個々のマイク６の位置情報とともに受信すると、これらの情報に基づいて、個々のマイク６の感度調整状態を提示するためのマイク感度インジケータを生成し、所定時間、会議画面２７１内の、被制御端末２に対応する表示枠２７２に重ねて表示する。そして、所定時間内に、操作受付部２４を介してユーザから、この感度調整操作の受入れを拒否する旨の指示を受け付けたならば、会議サーバ１に調整受入れ拒否を送信する。
【００８６】
図８（Ａ）は、マイク感度インジケータ２７５が重ねて表示された、被制御端末２の表示枠２７２の一例を示す図である。図示するように、マイク感度インジケータ２７５は、基準マーク８６と、個々のマイク６の感度を示すマーク８７と、を有する。基準マーク８６は、表示枠２７２内の所定位置（例えば下端の中央）に表示される。表示枠２７２内における基準マーク８６の表示位置は、表示枠２７２を設置ガイド画面２９１の画面サイズに合わせた場合における、設置ガイド画面２９１内における基準マーク８０の表示位置と一致する。
【００８７】
また、マイク６の感度を示すマーク８７は、会議サーバ１より受信したこのマイク６の位置情報およびこのマイク６に対する感度調整操作の操作内容により特定される表示枠２７２内の位置に表示される。
【００８８】
ここで、会議サーバ１から感度調整操作の操作内容を受信していないマイク６の感度を示すマーク８７は、表示枠２７２内において、このマイク６の位置情報により特定される表示位置に表示される。この表示位置は、表示枠２７２を設置ガイド画面２９１の画面サイズに合わせた場合における、このマイク６のマイク設置箇所マーク８１の、設置ガイド画面２９１内における表示位置と一致する。図８（Ａ）において、マイクＩＤ０１〜０３のマイク６の感度を示す各マーク８７がこの場合に該当する。
【００８９】
また、会議サーバ１から感度調整操作の操作内容を受信しているマイク６の感度を示すマーク８７は、表示枠２７２内において、このマイク６の位置情報により特定される位置および基準マーク８６を通過する直線上において、このマイク６の位置情報により特定される位置および基準マーク８６間の線分の長さに、このマイク６に対する感度調整操作の操作内容が示す係数を乗算することで得られる距離だけ、基準マーク８６から離れた位置に表示される。図８（Ａ）において、マイクＩＤ０４、０５のマイク６の感度を示す各マーク８７がこの場合に該当する。
【００９０】
また、図８（Ａ）に示す例では、制御端末２による感度調整操作の受入れを拒否するためのボタン８８が、制御端末２によりマイク感度調整操中であることを示すメッセージ８９とともに、被制御端末２の表示枠２７２内に表示されている。ユーザが操作受付部２４を用いて、ボタン８８を選択すると、調整受入れ可否部２０３は、ＩＰ網インターフェース部２１を介して会議サーバ１に調整受入れ拒否を送信する。
【００９１】
なお、図８（Ｂ）に示すように、マイク感度インジケータ２７５を表示せずに、ボタン８８およびメッセージ８９のみを被制御端末２の表示枠２７２内に表示してもよい。
【００９２】
感度調整部２０４は、ＩＰ網インターフェース部２１を介して会議サーバ１から制御命令を受信した場合に、この制御命令に従い、この制御命令で指定されているマイクＩＤにより特定されるマイク６から音声入出力部２３に入力される音声信号の感度レベル（音量）を調節する。
【００９３】
なお、本実施の形態において、感度調整部２０４は、自会議端末２の起動時あるいはテレビ会議の開始時（会議処理部２０１による音声および映像データ送受信開始時）に、各マイク６から音声入出力部２３に入力される音声信号の感度レベルを所定のデフォルト値（会議サーバ１のマイク情報記憶部１６２のフィールド１６２４に初期値として設定される上述のデフォルト値と同じ値）にリセットするようにしている。
【００９４】
図９は、図５に示す会議端末２のマイク感度調整処理を説明するためのフロー図である。
【００９５】
このフローは、会議端末２が会議サーバ１と音声および映像データを送受することにより、テレビ会議に参加している状態において実施される。
【００９６】
感度調整操作部２０２は、操作受付部２４を介してユーザから、モニタ３に表示中の会議画面２７１に含まれている表示枠２７２の選択を伴う感度調整開始指示を受け付けると（Ｓ２００でＹＥＳ）、選択された表示枠２７２に対応する会議端末２を被制御端末２として、ＩＰ網インターフェース部２１を介して会議サーバ１に、この被制御端末２の指定を伴うマイク感度調整指示を送信する（Ｓ２０１）。
【００９７】
つぎに、感度調整操作部２０２は、ＩＰ網インターフェース部２１を介して会議サーバ１から、被制御端末２に接続されている各マイク６の位置情報を受信する（Ｓ２０２）。それから、感度調整操作部２０２は、受信した各マイク６の位置情報に基づいて、図７（Ａ）に示すような、個々のマイク６の感度調整操作を受け付けるための操作用インターフェース２７４を、会議画面２７１内の、被制御端末２に対応する表示枠２７２に重ねて表示する（Ｓ２０３）。
【００９８】
つぎに、感度調整操作部２０２は、図７（Ｂ）に示すように、操作用インターフェース２７４の操作を介してユーザから、マイク６の感度調整操作を受け付けると（Ｓ２０４でＹＥＳ）、ＩＰ網インターフェース部２１を介して会議サーバ１に、このマイク６に対する感度調整操作の操作内容を送信する（Ｓ２０５）。一方、ユーザからの感度調整開始指示を受け付けてから、マイク６の感度調整操作を受け付けることなく所定時間を経過した場合（Ｓ２０４でＮＯ、Ｓ２０６でＹＥＳ）、感度調整操作部２０２は、ユーザからの感度調整操作の受付を停止し、操作用インターフェース２７４を非表示にする（Ｓ２０７）。
【００９９】
また、調整受入れ可否部２０３は、会議サーバ１にマイク感度調整指示を送信することなく、被制御端末２に接続されている各マイク６の位置情報および感度調整操作の操作内容を示す情報を会議サーバ１から受信すると（Ｓ２１０でＹＥＳ）、受信した各マイク６の位置情報およびマイク６の感度調整操作の操作内容を示す情報に基づいて、図８（Ａ）に示すような、個々のマイク６の感度調整状態を提示するためのマイク感度インジケータ２７５を、会議画面２７１内の、被制御端末２に対応する表示枠２７２に重ねて表示する（Ｓ２１１）。
【０１００】
つぎに、調整受入れ可否部２０３は、操作受付部２４を介してユーザから調整受入れ拒否を受け付けると（Ｓ２１２でＹＥＳ）、ＩＰ網インターフェース部２１を介して会議サーバ１に、制御端末２による感度調整操作の調整受入れ拒否を送信する（Ｓ２１３）。一方、被制御端末２に接続されている各マイク６の位置情報および感度調整操作の操作内容を会議サーバ１から受け付けてから、調整受入れ拒否の指示を受け付けることなく所定時間を経過した場合（Ｓ２１２でＮＯ、Ｓ２１４でＹＥＳ）、調整受入れ可否部２０３は、ユーザから調整受入れ許可を受け付けたものとして、マイク感度インジケータ２７５を非表示にする（Ｓ２１５）。
【０１０１】
また、感度調整部２０４は、ＩＰ網インターフェース部２１を介して会議サーバ１から制御命令を受信すると（Ｓ２２０でＹＥＳ）、この制御命令で指定されているマイクＩＤにより特定されるマイク６から音声入出力部２３に入力される音声信号の感度レベル（音量）を、この制御命令に含まれる感度設定値（現在）に基づき調節する（Ｓ２２１）。
【０１０２】
つぎに、本実施の形態が適用された多地点会議システムにおけるマイク感度遠隔制御の動作例を説明する。
【０１０３】
図１０は、図１に示す多地点会議システムにおけるマイク感度遠隔制御の第一の動作例を説明するためのシーケンス図である。ここでは、制御端末２による被制御端末２の感度調整操作が監視端末２に受け入れられた場合の動作例を示している。
【０１０４】
端末ＩＤ［００１］の会議端末２（制御端末２に該当）は、ユーザから端末ＩＤ［００４］の会議端末２（被制御端末２に該当）の指定を伴う感度調整開始指示を受け付けると（Ｓ３０１）、端末ＩＤ［００４］の会議端末２の指定を伴うマイク感度調整指示を会議サーバ１に送信する（Ｓ３０２）。
【０１０５】
会議サーバ１は、端末ＩＤ［００１］の会議端末２からマイク感度調整指示を受信すると、この会議端末２に、このマイク感度調整指示で指定されている端末ＩＤ［００４］の会議端末２に接続されている各マイク６の位置情報を送信する（Ｓ３０３）。
【０１０６】
これを受けて、端末ＩＤ［００１］の会議端末２は、ユーザから、端末ＩＤ［００４］の会議端末２に接続されている個々のマイク６の感度調整操作を受け付けるための操作用インターフェース２７４を表示し（Ｓ３０４）、ユーザから感度調整操作を受け付ける（Ｓ３０５）。そして、会議サーバ１に、受け付けた感度調整操作の操作内容を送信する（Ｓ３０６）。
【０１０７】
会議サーバ１は、端末ＩＤ［００１］の会議端末２から受信した感度調整操作の操作内容に従い、端末ＩＤ［００４］の会議端末２に接続されているマイク６の感度を遠隔制御するための制御命令を生成する。そして、この制御命令を端末ＩＤ［００４］の会議端末２に送信する（Ｓ３０７）。
【０１０８】
これを受けて、端末ＩＤ［００４］の会議端末２は、会議サーバ１から受信した制御命令に従い、自会議端末２に接続されている個々のマイク６の感度を調整する（Ｓ３０８）。
【０１０９】
また、会議サーバ１は、端末ＩＤ［００２］、［００３］の各会議端末２（監視端末２に該当）に、端末ＩＤ［００４］の会議端末２に接続されている各マイク６の位置情報、および端末ＩＤ［００１］の会議端末２から受信した感度調整操作の操作内容を送信する（Ｓ３０９、Ｓ３１０）。
【０１１０】
これを受けて、端末ＩＤ［００２］の会議端末２は、端末ＩＤ［００４］の会議端末２に接続されている個々のマイク６の感度調整状態を提示するためのマイク感度インジケータ２７５を表示する（Ｓ３１１）。同様に、端末ＩＤ［００３］の会議端末２も、端末ＩＤ［００４］の会議端末２に接続されている個々のマイク６の感度調整状態を提示するためのマイク感度インジケータ２７５を表示する（Ｓ３１２）。
【０１１１】
さて、端末ＩＤ［００１］の会議端末２は、ユーザから感度調整操作を受け付けることなく所定時間Ｔ１が経過すると、ユーザからの感度調整操作の受付を停止して、操作用インターフェース２７４を非表示にする（Ｓ３１３）。
【０１１２】
また、端末ＩＤ［００２］の会議端末２は、ユーザから調整受入れ拒否を受け付けることなく所定時間Ｔ２が経過すると、ユーザからの調整受入れ拒否の受付を停止して、マイク感度インジケータ２７５を非表示にする（Ｓ３１４）。同様に、端末ＩＤ［００３］の会議端末２も、ユーザから調整受入れ拒否を受け付けることなく所定時間Ｔ２が経過すると、ユーザからの調整受入れ拒否の受付を停止して、マイク感度インジケータ２７５を非表示にする（Ｓ３１５）。
【０１１３】
図１１は、図１に示す多地点会議システムにおけるマイク感度遠隔制御の第二の動作例を説明するためのシーケンス図である。ここでは、制御端末２による被制御端末２の感度調整操作が監視端末２に拒否された場合の動作例を示している。なお、図１１において、Ｓ３５１〜Ｓ３６２の動作は、図１０に示すＳ３０１〜Ｓ３１２の動作と同じであるので、その説明を省略する。
【０１１４】
端末ＩＤ［００２］の会議端末２（監視端末２に該当）は、マイク感度インジケータ２７５の表示後、所定時間Ｔ２（図１０参照）を経過する前に、ユーザから調整受入れ拒否を受け付けると（Ｓ３６３）、端末ＩＤ［００４］の会議端末２（被制御端末２に該当）に接続されているマイク６の調整受入れ拒否を会議サーバ１に送信する（Ｓ３６４）。その後、マイク感度インジケータ２７５を非表示にする（Ｓ３６７）。同様に、端末ＩＤ［００３］の会議端末２（監視端末２に該当）は、マイク感度インジケータ２７５の表示後、所定時間Ｔ２（図１０参照）を経過する前に、ユーザから調整受入れ拒否を受け付けると（Ｓ３６５）、端末ＩＤ［００４］の会議端末２に接続されているマイク６の調整受入れ拒否を会議サーバ１に送信する（Ｓ３６６）。その後、マイク感度インジケータ２７５を非表示にする（Ｓ３６８）。
【０１１５】
さて、会議サーバ１は、所定数（例えば一台）以上の監視端末２から調整受入れ拒否を受信すると、端末ＩＤ［００４］の会議端末２に接続されているマイク６の感度を、端末ＩＤ［００１］の会議端末２（制御端末２に該当）による感度調整操作前の感度に戻すための制御命令を生成する。そして、この制御命令を端末ＩＤ［００４］の会議端末２に送信する（Ｓ３６９）。
【０１１６】
これを受けて、端末ＩＤ［００４］の会議端末２は、会議サーバ１から受信した制御命令に従い、自会議端末２に接続されている個々のマイク６の感度を調整前の状態にリセットする（Ｓ３７０）。
【０１１７】
一方、端末ＩＤ［００１］の会議端末２は、ユーザから感度調整操作を受け付けることなく所定時間Ｔ１が経過すると、ユーザからの感度調整操作の受付を停止して、操作用インターフェース２７４を非表示にする（Ｓ３７１）。
【０１１８】
以上、本発明の一実施の形態を説明した。
【０１１９】
本実施の形態の多地点会議システムにおいて、会議サーバ１は、各会議端末２に接続されているマイク６の情報を管理しており、被制御端末２のマイク感度調整指示を制御端末２から受け付けたならば、被制御端末２に接続されているマイク６の情報を制御端末２に表示して、個々のマイク６の感度調整操作の操作内容を制御端末２から受け付ける。そして、受け付けた操作内容に従い、被制御端末２に接続されている個々のマイク６の感度を調整する。
【０１２０】
また、会議サーバ１は、制御端末２から受け付けた被制御端末２の感度調整操作の操作内容を各監視端末２に表示する。そして、所定数以上の監視端末２から調整受入れ拒否を受け付けたならば、被制御端末２に接続されている個々のマイク６の感度を調整前の感度に戻す。
【０１２１】
したがって、本実施の形態によれば、多地点会議システムにおいて、任意の会議端末２に接続されている個々のマイク６の感度を、より多くの会議端末２において適切となるように他の会議端末２から調整することができる。
【０１２２】
また、本実施の形態において、制御端末２である会議端末２は、会議サーバ１から受信した、被制御端末２に接続されている各マイク６の位置情報に従い、図７（Ａ）に示すような、被制御端末２に接続されている個々のマイク６の感度調整操作を受け付けるための操作用インターフェース２７４を、被制御端末２のカメラ４で撮像した映像とともに表示し、この操作用インターフェース２７４を介して、ユーザから、被制御端末２に接続されている個々のマイク６の感度調整操作を受け付ける。
【０１２３】
したがって、本実施の形態によれば、被制御端末２に接続されている個々のマイク６と会議の参加者との対応を目視により確認できるので、感度調整が必要なマイク６を、遠隔地から容易に把握することができる。
【０１２４】
また、本実施の形態において、制御端末２である会議端末２は、図７（Ｂ）に示すように、操作用インターフェース２７４を構成する閉曲線８５の変形を伴うドラッグ操作を受け付け、閉曲線８５の変形による各マーク８４の位置情報の変化を、各マーク８４に対応するマイク６の感度調整操作の操作内容として会議サーバ１に送信する。
【０１２５】
したがって、本実施の形態によれば、直感的な操作で、被制御端末２に接続されている個々のマイク６の感度を調整することができる。
【０１２６】
また、本実施の形態において、監視端末２である会議端末２は、会議サーバ１から受信した、被制御端末２に接続されている各マイク６の位置情報および制御端末２の感度調整操作の操作内容に従い、図８（Ａ）に示すような、被制御端末２に接続されている個々のマイク６の感度調整状態を表示するためのマイク感度インジケータ２７５を、被制御端末２のカメラ４で撮像した映像とともに表示する。
【０１２７】
したがって、本実施の形態によれば、マイクの感度調整操作が行われている被制御端末２を容易に把握することができるので、この感度調整操作の受入れの可否判断が容易になる。
【０１２８】
なお、本発明は上記の実施の形態に限定されるものではなく、その要旨の範囲内で数々の変形が可能である。
【０１２９】
例えば、上記の実施の形態において、被制御端末２に接続されている個々のマイク６の感度調整操作を受け付けるための操作用インターフェース２７４は、図７（Ａ）に示すものに限定されない。例えば個々のマイク６の感度を調整するためのスライダからなるものであってもよい。
【０１３０】
また、上記の実施の形態において、被制御端末２に接続されている個々のマイク６の感度調整状態を表示するためのマイク感度インジケータ２７５は、図８（Ａ）に示すものに限定されない。例えば個々のマイク６の感度を棒グラフで表したものであってもよい。
【０１３１】
また、上記の実施の形態において、図２に示す会議サーバ１、および図５に示す会議端末２の機能は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、モデム等の通信インターフェース（会議端末２は、これらに加えてキーボード、マウス等の入力装置）を備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【符号の説明】
【０１３２】
１：会議サーバ、２：会議端末、３：モニタ、４：カメラ、５：スピーカ、６：マイク、７：ＩＰ網、１１：ＩＰ網インターフェース部、１２：音声バッファ部、１３：映像バッファ部、１４：音声中継部、１５：映像中継部、１６：端末情報記憶部、１７：遠隔制御部、２０：主制御部、２１：ＩＰ網インターフェース部、２２：映像入出力部、２３：音声入出力部、２４：操作受付部、２５：映像処理部、２６：音声処理部、２７：映像合成部、２８：音声合成部、２９：設置支援部、１４１：音声収集部、１４２：音声配信部、１５１：映像収集部、１５２：映像配信部、１６１：アドレス情報記憶部、１６２：マイク情報記憶部、１７１：感度調整操作受付部、１７２：調整受入れ可否受付部、１７３：命令送信部、２０１：会議処理部、２０２：感度調整操作部、２０３：調整受入れ可否部、２０４：感度調整部、２４１：マウス、２４２：キーボード
【図１】
2010273244.tif 000003
【図２】
2010273244.tif 000004
【図３】
2010273244.tif 000005
【図４】
2010273244.tif 000006
【図５】
2010273244.tif 000007
【図６】
2010273244.tif 000008
【図７】
2010273244.tif 000009
【図８】
2010273244.tif 000010
【図９】
2010273244.tif 000011
【図１０】
2010273244.tif 000012
【図１１】
2010273244.tif 000013